(57)【要約】【課題】き電線の無停電切換中であっても過電流事故を検出することが可能な過電流検出装置及び過電流検出方法を提供することにある。【解決手段】実施形態に係る過電流検出装置は、第１の電流値取得手段と、第２の電流値取得手段と、電流値演算手段と、判定手段と、指令手段とを含む。第１の電流値取得手段は、第１のき電線の電流値を取得する。第２の電流値取得手段は、第２のき電線の電流値を取得する。電流値演算手段は、第１の電流値取得手段によって取得された電流値と第２の電流値取得手段によって取得された電流値とを加算する。判定手段は、加算結果が予め定められている値以上であるかを判定する。過電流検出手段は、加算結果が予め定められている値以上であると判定された場合に過電流事故を検出する。【選択図】図１
2014079143.tif 000002
【特許請求の範囲】
【請求項１】
変電所からの電力を電車線に供給するための第１のき電線に設けられる過電流検出装置において、
前記第１のき電線に流れるき電電流の電流値を取得する第１の電流値取得手段と、
前記第１のき電線に代わって前記変電所からの電力を前記電車線に供給するための第２のき電線に流れるき電電流の電流値を取得する第２の電流値取得手段と、
前記第１の電流値取得手段によって取得された電流値と前記第２の電流値取得手段によって取得された電流値とを加算する電流値演算手段と、
前記加算結果が予め定められている値以上であるかを判定する判定手段と、
前記加算結果が予め定められている値以上であると判定された場合に過電流事故を検出する過電流検出手段と
を具備することを特徴とする過電流検出装置。
【請求項２】
指令手段を更に具備し、
前記第１のき電線には、当該第１のき電線に流れるき電電流を遮断する遮断器が設けられており、
前記指令手段は、前記過電流事故が検出された場合、前記第１のき電線に流れるき電電流を遮断するための指令を前記遮断器に出力する
ことを特徴とする請求項１記載の過電流検出装置。
【請求項３】
前記第２のき電線には、当該第２のき電線に流れるき電電流を遮断する遮断器が設けられており、
前記指令手段は、前記第２のき電線に流れるき電電流を遮断するための指令を前記第２のき電線に設けられている遮断器に更に出力することを特徴とする請求項２記載の過電流検出装置。
【請求項４】
前記第１のき電線には、当該第１のき電線に流れるき電電流を遮断する第１の遮断器が設けられており、
前記第２のき電線には、当該第２のき電線に流れるき電電流を遮断する第２の遮断器が設けられており、
前記電流値演算手段は、前記第１の遮断器及び前記第２の遮断器が閉じられている場合に、前記第１の電流値取得手段によって取得された電流値と前記第２の電流値取得手段によって取得された電流値とを加算する
ことを特徴とする請求項１記載の過電流検出装置。
【請求項５】
前記第１の電流値取得手段、前記第２の電流値取得手段、前記電流値演算手段、前記判定手段及び前記過電流検出手段の処理は、前記第１のき電線及び前記第２のき電線を切り換える際に実行されることを特徴とする請求項１記載の過電流検出装置。
【請求項６】
変電所からの電力を電車線に供給するための第１のき電線に設けられる過電流検出装置が実行する過電流検出方法であって、
前記第１のき電線に流れるき電電流の電流値を取得するステップと、
前記第１のき電線に代わって前記変電所からの電力を前記電車線に供給するための第２のき電線に流れるき電電流の電流値を取得するステップと、
前記第１のき電線に流れるき電電流の電流値と前記第２のき電線に流れるき電電流の電流値とを加算するステップと、
前記加算結果が予め定められている値以上であるかを判定するステップと、
前記加算結果が予め定められている値以上であると判定された場合に、過電流事故を検出するステップと
を具備することを特徴とする過電流検出方法。
【発明の詳細な説明】
【技術分野】
【０００１】
本発明の実施形態は、過電流検出装置及び過電流検出方法に関する。
【背景技術】
【０００２】
一般的に、電気鉄道の変電所における過電流事故の検出には、電車線に電力を供給するためのき電線毎に設けられた電流検出器が用いられる。
【０００３】
具体的には、電流検出器によって計測された電流値（つまり、き電線に流れる電流値）が予め設定された値（設定値）以上であれば、過電流事故が検出される。
【先行技術文献】
【特許文献】
【０００４】
【特許文献１】特開２０１０−０３９７９７号公報
【特許文献２】特開平８−２０５３７７号公報
【発明の概要】
【発明が解決しようとする課題】
【０００５】
ところで、変電所において、常用き電線及び予備き電線が設けられている場合がある。この場合、例えば常用き電線に事故が発生したとき、当該常用き電線の遮断器が破損したとき、または常用き電線のメンテナンスを行うときには、電車線へ電力を供給したまま、常用き電線から予備き電線に無停電での切り換えが行われる。すなわち、変電所において常用き電線及び予備き電線が設けられている場合には、例えば常用き電線が利用できない場合であっても、予備き電線を介して電力の供給を継続することができる。
【０００６】
上記したように無停電でき電線の切り換えが行われる際には、常用き電線及び予備き電線の両方を介して電車線へ電力を供給する時間帯がある（つまり、常用き電線と予備き電線が同時に電車線へ電力を供給する時間が発生する）。
【０００７】
このような状態において、例えばき電線で過電流事故が発生すると、当該事故電流が常用き電線及び予備き電線に分流してしまう。このように事故電流が分流した場合には、常用き電線及び予備き電線の各々に流れる電流量が少なくなるため、当該常用き電線または予備き電線において計測された電流値が上記した設定値を下回る可能性がある。
【０００８】
この場合、過電流事故が発生しているにもかかわらず、過電流事故を検出することはできない。
【０００９】
つまり、上記したようにき電線（常用き電線及び予備き電線）を無停電で切り換える際には、過電流事故を検出することができない場合がある。
【００１０】
そこで、本発明が解決しようとする課題は、き電線の無停電切換中であっても過電流事故を検出することが可能な過電流検出装置及び過電流検出方法を提供することにある。
【課題を解決するための手段】
【００１１】
実施形態によれば、変電所からの電力を電車線に供給するための第１のき電線に設けられる過電流検出装置が提供される。
【００１２】
実施形態に係る過電流検出装置は、第１の電流値取得手段と、第２の電流値取得手段と、電流値演算手段と、判定手段と、過電流検出手段とを含む。
【００１３】
前記第１の電流値取得手段は、前記第１のき電線に流れるき電電流の電流値を取得する。
【００１４】
前記第２の電流値取得手段は、前記第１のき電線に代わって前記変電所からの電力を前記電車線に供給するための第２のき電線に流れるき電電流の電流値を取得する。
【００１５】
前記電流値演算手段は、前記第１の電流値取得手段によって取得された電流値と前記第２の電流値取得手段によって取得された電流値とを加算する。
【００１６】
前記判定手段は、前記加算結果が予め定められている値以上であるかを判定する。
【００１７】
前記過電流検出手段は、前記加算結果が予め定められている値以上であると判定された場合に過電流事故を検出する。
【図面の簡単な説明】
【００１８】
【図１】実施形態に係る過電流検出装置が設置された電気鉄道の変電所について説明するための図。
【図２】図１に示す常用側過電流検出装置１７ａの主として機能構成を示すブロック図。
【図３】図１に示す予備側過電流検出装置１７ｂの主として機能構成を示すブロック図。
【図４】常用き電線または予備き電線を介して電車線３０に電力が供給されている場合の過電流事故の検出処理の処理手順を示すフローチャート。
【図５】常用側過電流検出装置１７ａ及び予備側過電流検出装置１７ｂによって実行される無停電切換中の過電流検出処理の処理手順を示すフローチャート。
【発明を実施するための形態】
【００１９】
以下、図面を参照して、実施形態について説明する。
【００２０】
図１は、本実施形態に係る過電流検出装置（無停電切換対応型過電流検出装置）が設置された電気鉄道の変電所について説明するための図である。
【００２１】
図１に示す変電所１０は、交流電源２０から供給される交流電力を直流電力に変換し、電気車に供給するものである。変電所１０から供給されるき電電流は、電車線３０からレール４０を経由して変電所１０に帰還する。
【００２２】
なお、本実施形態において、変電所１０には、変電所１０からの電力を電車線３０に供給するための常用き電線（第１のき電線）及び当該常用き電線の故障時やメンテナンス時に当該常用き電線に代わって変電所１０からの電力を電車線３０に供給するための予備き電線が設けられている。
【００２３】
また、上記したように常用き電線の故障時やメンテナンス時には当該常用き電線が予備き電線に切り換えられるが、このき電線の切り換えは、電車線３０へ電力を供給したまま、無停電で行われる。
【００２４】
図１に示す変電所１０は、交流遮断器１１、整流器１２、断路器１３、電流検出器１４ａ、電流検出器１４ｂ、き電遮断器１５ａ、き電遮断器１５ｂ、断路器１６、過電流検出装置１７ａ及び過電流検出装置１７ｂ等を備える。
【００２５】
なお、電流検出器１４ａ及びき電遮断器１５ａは、上記した常用き電線に設けられている。以下、電流検出器１４ａ及びき電遮断器１５ａを、便宜的に、常用側電流検出器１４ａ及び常用側き電遮断器１５ａと称する。
【００２６】
また、電流検出器１４ｂ、き電遮断器１５ｂ及び断路器１６は、上記した予備き電線に設けられている。以下、電流検出器１４ｂ及びき電遮断器１５ｂを、便宜的に、予備側電流検出器１４ｂ及び予備側き電遮断器１５ｂと称する。
【００２７】
更に、図１に示すように、過電流検出装置１７ａは、上記した常用き電線に設けられており、常用側電流検出器１４ａ、予備側電流検出器１４ｂ、常用側き電遮断器１５ａ及び予備側き電遮断器１５ｂと接続されている。以下、常用き電線に設けられている過電流検出装置１７ａを、便宜的に、常用側過電流検出装置１７ａと称する。
【００２８】
一方、過電流検出装置１７ｂは、上記した予備き電線に設けられており、常用側電流検出器１４ａ、予備側電流検出器１４ｂ、常用側き電遮断器１５ａ及び予備側き電遮断器１５ｂと接続されている。以下、予備き電線に設けられている過電流検出装置１７ｂを、便宜的に、予備側過電流検出装置１７ｂと称する。
【００２９】
交流遮断器１１は、例えば変電所１０の構内において事故等が発生した場合に、交流電源２０からの電流を遮断するために開閉する機能を有する。具体的には、交流遮断器１１が「閉」状態である場合には電流が流れ、当該交流遮断器１１が「開」状態である場合には当該電流は遮断される。
【００３０】
整流器１２は、上記したように交流電源２０から供給される電力を所要の直流電力に変換する。
【００３１】
断路器１３は、交流遮断器１１、整流器１２及びき電母線等のメンテナンスのために電路を開閉する。具体的には、断路器１３は、メンテナンス時には「開」状態にされ、電気車に電力を供給する際には「閉」状態にされる。
【００３２】
常用側電流検出器１４ａは、常用き電線に流れるき電電流の電流値を計測（検出）する。
【００３３】
常用側き電遮断器１５ａは、常用き電線に流れるき電電流を遮断するために開閉する機能を有する。具体的には、常用側き電遮断器１５ａが「閉」状態である場合には常用き電線にき電電流が流れ、当該常用側き電遮断器１５ａが「開」状態である場合には常用き電線に流れるき電電流は遮断される。
【００３４】
予備側電流検出器１４ｂは、予備き電線に流れるき電電流の電流値を計測（検出）する。
【００３５】
予備側き電遮断器１５ｂは、予備き電線に流れるき電電流を遮断するために開閉する機能を有する。具体的には、予備側き電遮断器１５ｂが「閉」状態である場合には予備き電線にき電電流が流れ、当該予備側き電遮断器１５ｂが「開」状態である場合には予備き電線に流れるき電電流は遮断される。
【００３６】
なお、予備き電線は、断路器１６を「閉」状態とすることによって、常用き電線に代わって電力を供給することができるようになる。
【００３７】
常用側過電流検出装置１７ａは、常用側電流検出器１４ａによって計測された電流値、常用側き電遮断器１５ａの開閉状態（を示す遮断器開閉情報）、予備側電流検出器１４ｂによって計測された電流値、及び予備側き電遮断器１５ｂの開閉状態（を示す遮断器開閉情報）に基づいて、変電所１０の構内及び構外において例えば地絡事故等が発生したことによって生じる過電流（事故）を検出する。
【００３８】
常用側過電流検出装置１７ａは、過電流事故が検出された場合、常用き電線に流れるき電電流を遮断するための指令（信号）を出力する。
【００３９】
予備側過電流検出装置１７ｂは、上記した常用側過電流検出装置１７ａと同様に、常用側電流検出器１４ａによって計測された電流値、常用側き電遮断器１５ａの開閉状態（を示す遮断器開閉情報）、予備側電流検出器１４ｂによって計測された電流値、及び予備側き電遮断器１５ｂの開閉状態（を示す遮断器開閉情報）に基づいて、過電流（事故）を検出する。
【００４０】
予備側過電流検出装置１７ｂは、過電流事故が検出された場合、予備き電線に流れるき電電流を遮断するための指令（信号）を出力する。
【００４１】
次に、図１に示す常用側過電流検出装置１７ａ及び予備側過電流検出装置１７ｂについて説明する。
【００４２】
まず、図２を参照して、図１に示す常用側過電流検出装置１７ａの構成について説明する。図２は、常用側過電流検出装置１７ａの主として機能構成を示すブロック図である。
【００４３】
図２に示すように、常用側過電流検出装置１７ａは、電流値取得部１７１ａ、開閉情報認知部１７２ａ、電流値演算部１７３ａ、設定値保持部１７４ａ、過電流検出部１７５ａ及び遮断器開放指令部１７６ａを含む。
【００４４】
電流値取得部１７１ａは、常用側電流検出器１４ａによって計測された電流値（常用き電線に流れるき電電流の電流値）を取得する。また、電流値取得部１７１ａは、予備側電流検出器１４ｂによって計測された電流値（予備き電線に流れるき電電流の電流値）を取得する。以下、常用側電流検出器１４ａによって計測された電流値を常用き電線の電流値、予備側電流検出器１４ｂによって計測された電流値を予備き電線の電流値と称する。
【００４５】
開閉情報認知部１７２ａは、常用側き電遮断器１５ａ及び予備側き電遮断器１５ｂを監視することによって、当該常用側き電遮断器１５ａ及び予備側き電遮断器１５ｂの開閉状態を認知する機能を有する。具体的には、開閉情報認知部１７２ａは、常用側き電遮断器１５ａの開閉状態を示す遮断器開閉情報（以下、常用側き電遮断器１５ａの開閉情報と表記）を取得する。また、開閉情報認知部１７２ａは、予備側き電遮断器１５ｂの開閉状態を示す遮断器開閉情報（以下、予備側き電遮断器１５ｂの開閉情報と表記）を取得する。
【００４６】
開閉情報認知部１７２ａは、取得された常用側き電遮断器１５ａの開閉情報及び予備側き電遮断器１５ｂの開閉情報に基づいて、常用側き電遮断器１５ａ及び予備側き電遮断器１５ｂが「閉」状態である（つまり、常用側き電遮断器１５ａ及び予備側き電遮断器１５ｂが閉じられている）か否かを判定する。
【００４７】
電流値演算部１７３ａは、電流値取得部１７１ａによって取得された常用き電線の電流値及び予備き電線の電流値を加算する。
【００４８】
設定値保持部１７４ａには、過電流事故を検出するために用いられる設定値（予め定められている値）が保持されている。
【００４９】
過電流検出部１７５ａは、電流値取得部１７１ａによって取得された常用き電線の電流値と設定値保持部１７４ａに保持されている設定値とを比較する。これにより、過電流検出部１７５ａは、電流値取得部１７１ａによって取得された常用き電線の電流値が設定値以上である場合、過電流事故を検出する。
【００５０】
また、過電流検出部１７５ａは、電流値演算部１７３ａによる加算結果（常用き電線の電流値と予備き電線の電流値との和）と設定値保持部１７４ａに保持されている設定値とを比較する。過電流検出部１７５ａは、電流値演算部１７３ａによる加算結果が設定値以上である場合、過電流事故を検出する。
【００５１】
過電流検出部１７５ａによって過電流事故が検出された場合、遮断器開放指令部１７６ａは、常用き電線に流れるき電電流を遮断するために、常用側き電遮断器１５ａに対して遮断器開放指令を出力する。
【００５２】
このように常用側き電遮断器１５ａに対して遮断器開放指令が出力された場合、常用側き電遮断器１５ａは「開」状態とされる（つまり、開放される）。これにより、常用き電線に流れるき電電流が遮断される。
【００５３】
次に、図３を参照して、図１に示す予備側過電流検出装置１７ｂの構成について説明する。図３は、予備側過電流検出装置１７ｂの主として機能構成を示すブロック図である。
【００５４】
図３に示すように、予備側過電流検出装置１７ｂは、電流値取得部１７１ｂ、開閉情報認知部１７２ｂ、電流値演算部１７３ｂ、設定値保持部１７４ｂ、過電流検出部１７５ｂ及び遮断器開放指令部１７６ｂを含む。
【００５５】
なお、図３に示す電流値取得部１７１ｂ、開閉情報認知部１７２ｂ、電流値演算部１７３ｂ及び設定値保持部１７４ｂは、上述した図２に示す電流値取得部１７１ａ、開閉情報認知部１７２ａ、電流値演算部１７３ａ及び設定値保持部１７４ａと同様の機能部であるため、その詳しい説明については省略する。なお、設定値保持部１７４ｂに保持されている設定値は、設定値保持部１７４ａに保持されている設定値と同一の値である。
【００５６】
過電流検出部１７５ｂは、電流値取得部１７１ｂによって取得された予備き電線の電流値と設定値保持部１７４ｂに保持されている設定値とを比較する。これにより、過電流検出部１７５ｂは、電流値取得部１７１ｂによって取得された予備き電線の電流値が設定値以上である場合、過電流事故を検出する。
【００５７】
また、過電流検出部１７５ｂは、電流値演算部１７３ａによる加算結果（常用き電線の電流値と予備き電線の電流値との和）と設定値保持部１７４ａに保持されている設定値とを比較する。過電流検出部１７５ｂは、電流値演算部１７３ｂによる加算結果が設定値以上である場合、過電流事故を検出する。
【００５８】
遮断器開放指令部１７６ｂは、過電流検出部１７５ｂによって過電流事故が検出された場合、予備き電線に流れるき電電流を遮断するために、予備側き電遮断器１５ｂに対して遮断器開放指令を出力する。
【００５９】
このように予備側き電遮断器１５ｂに対して遮断器開放指令が出力された場合、予備側き電遮断器１５ｂは「開」状態とされる（つまり、開放される）。これにより、予備き電線に流れるき電電流が遮断される。
【００６０】
上記したように常用側過電流検出装置１７ａ及び予備側過電流検出装置１７ｂは、接続されるき電線（常用き電線及び予備き電線）に応じて遮断器開放指令の出力先（つまり、監視する常用側き電遮断器１５ａ及び予備側き電遮断器１５ｂ）が異なるのみであり、他の構成については同様である。
【００６１】
以下、本実施形態に係る過電流検出装置（常用側過電流検出装置１７ａ及び予備側過電流検出装置１７ｂ）の動作について説明する。
【００６２】
まず、図４のフローチャートを参照して、常用き電線を介して電車線３０に電力が供給されている場合の過電流事故の検出処理（以下、常用き電線供給中の過電流検出処理と表記）の処理手順について説明する。ここで説明する常用き電線供給中の過電流検出処理は、常用き電線に設けられている常用側過電流検出装置１７ａによって実行される。
【００６３】
なお、常用き電線を介して電車線３０に電力が供給されている場合には、予備き電線に設けられている予備側き電遮断器１５ｂ及び断路器１６は、それぞれ「開」状態となっている。
【００６４】
上記したように常用き電線を介して電車線３０に電力が供給されている場合、常用側過電流検出装置１７ａに含まれる電流値取得部１７１ａは、常用側電流検出器１４ａによって計測された電流値（常用き電線に流れるき電電流の電流値）を取得する（ステップＳ１）。
【００６５】
次に、開閉情報認知部１７２ａは、常用側き電遮断器１５ａの開閉情報を取得する（ステップＳ２）。ここで開閉情報認知部１７２ａによって取得された常用側き電遮断器１５ａの開閉情報は、当該常用側き電遮断器１５ａの開閉状態、つまり、当該常用側き電遮断器１５ａが「開」状態であるか「閉」状態であるかを示す情報である。
【００６６】
開閉情報認知部１７２ａは、取得された常用側き電遮断器１５ａの開閉情報に基づいて、当該常用側き電遮断器１５ａが「閉」状態であるか否かを判定する（ステップＳ３）。
【００６７】
常用側き電遮断器１５ａが「閉」状態であると判定された場合（ステップＳ３のＹＥＳ）、過電流検出部１７５ａは、設定値保持部１７４ａに保持されている設定値を取得する。
【００６８】
過電流検出部１７５ａは、電流値取得部１７１ａによって取得された電流値と取得された設定値とを比較する（ステップＳ４）。
【００６９】
これにより、過電流検出部１７５ａは、電流値取得部１７１ａによって取得された電流値が設定値以上であるか否かを判定する（ステップＳ５）。
【００７０】
電流値が設定値以上であると判定された場合（ステップＳ５のＹＥＳ）、過電流検出部１７５ａは、過電流事故を検出する（ステップＳ６）。
【００７１】
遮断器開放指令部１７６ａは、過電流検出部１７５ａによって過電流事故が検出されると、常用側き電遮断器１５ａに対して遮断器開放指令を出力する（ステップＳ７）。ここで常用側き電遮断器１５ａに対して出力される遮断器開放指令は、当該常用側き電遮断器１５ａを「開」状態とするための指令である。
【００７２】
このように常用側き電遮断器１５ａに対して遮断器開放指令が出力された場合、当該常用側き電遮断器１５ａは「開」状態とされ、過電流事故が除去される。
【００７３】
一方、上記したステップＳ３において常用側き電遮断器１５ａが「閉」状態でない（つまり、「開」状態である）と判定された場合、またはステップＳ５において電流値が設定値以上でないと判定された場合、常用き電線供給中の過電流検出処理は終了される。
【００７４】
なお、上記した常用き電線供給中の過電流検出処理は、常用き電線を介して電車線３０に電力が供給されている間、常用側過電流検出装置１７ａによって定期的に実行される。
【００７５】
次に、予備き電線を介して電車線３０に電力が供給されている場合の過電流事故検出処理（以下、予備き電線供給中の過電流検出処理と表記）について説明する。ここでは、便宜的に、上述した図４のフローチャートを用いて説明する。
【００７６】
ここで説明する予備き電線供給中の過電流検出処理は、予備き電線に設けられている予備側過電流検出装置１７ｂによって実行される。
【００７７】
なお、予備き電線を介して電車線３０に電力が供給されている場合には、常用き電線に設けられている常用き電遮断器１５ａは、「開」状態となっている。
【００７８】
上記したように予備き電線を介して電車線３０に電力が供給されている場合、予備側過電流検出装置１７ｂに含まれる電流値取得部１７１ｂは、予備側電流検出器１４ｂによって計測された電流値（予備き電線に流れるき電電流の電流値）を取得する（ステップＳ１）。
【００７９】
次に、開閉情報認知部１７２ｂは、予備側き電遮断器１５ｂの開閉情報を取得する（ステップＳ２）。ここで開閉情報認知部１７２ｂによって取得された予備側き電遮断器１５ｂの開閉情報は、当該予備側き電遮断器１５ｂの開閉状態、つまり、当該予備側き電遮断器１５ｂが「開」状態であるか「閉」状態であるかを示す情報である。
【００８０】
開閉情報認知部１７２ｂは、取得された予備側き電遮断器１５ｂの開閉情報に基づいて、当該予備側き電遮断器１５ｂが「閉」状態であるか否かを判定する（ステップＳ３）。
【００８１】
予備側き電遮断器１５ｂが「閉」状態であると判定された場合（ステップＳ３のＹＥＳ）、過電流検出部１７５ｂは、設定値保持部１７４ｂに保持されている設定値を取得する。
【００８２】
過電流検出部１７５ｂは、電流値取得部１７１ｂによって取得された電流値と取得された設定値とを比較する（ステップＳ４）。
【００８３】
これにより、過電流検出部１７５ｂは、電流値取得部１７１ｂによって取得された電流値が設定値以上であるか否かを判定する（ステップＳ５）。
【００８４】
電流値が設定値以上であると判定された場合（ステップＳ５のＹＥＳ）、過電流検出部１７５ｂは、過電流事故を検出する（ステップＳ６）。
【００８５】
遮断器開放指令部１７６ｂは、過電流検出部１７５ｂによって過電流事故が検出されると、予備側き電遮断器１５ｂに対して遮断器開放指令を出力する（ステップＳ７）。ここで予備側き電遮断器１５ｂに対して出力される遮断器開放指令は、当該予備側き電遮断器１５ｂを「開」状態とするための指令である。
【００８６】
このように予備側き電遮断器１５ｂに対して遮断器開放指令が出力された場合、当該予備側き電遮断器１５ｂは「開」状態とされ、過電流事故が除去される。
【００８７】
一方、上記したステップＳ３において予備側き電遮断器１５ｂが「閉」状態でない（つまり、「開」状態である）と判定された場合、またはステップＳ５において電流値が設定値以上でないと判定された場合、予備き電線供給中の過電流検出処理は終了される。
【００８８】
なお、上記した予備き電線供給中の過電流検出処理は、予備き電線を介して電車線３０に電力が供給されている間、予備側過電流検出装置１７ｂによって定期的に実行される。
【００８９】
ここで、上記したように例えば常用き電線の故障時やメンテナンス時の当該常用き電線から予備き電線への切り換えは、電車線３０へ電力を供給したまま、無停電で行われる。以下、常用き電線で電車線３０へ電力を供給したまま予備き電線に無停電で切り換えている際の過電流事故の検出処理（以下、無停電切換中の過電流検出処理と表記）の処理手順について説明する。
【００９０】
なお、常用き電線から予備き電線への無停電での切り換えが行われている際には、常用き電線及び予備き電線の両方を介して電車線３０に電力が供給されている状態となっている。このため、無停電切換中の過電流検出処理は、常用側過電流検出装置１７ａ及び予備側過電流検出装置１７ｂの各々によって実行される。
【００９１】
まず、図５のフローチャートを参照して、常用側過電流検出装置１７ａによって実行される無停電切換中の過電流検出処理の処理手順について説明する。
【００９２】
常用側過電流検出装置１７ａに含まれる電流値取得部１７１ａは、常用側電流検出器１４ａによって計測された常用き電線の電流値（常用き電線に流れるき電電流の電流値）及び予備側電流検出器１４ｂによって計測された予備き電線の電流値（予備き電線に流れるき電電流の電流値）を取得する（ステップＳ１１）。
【００９３】
次に、開閉情報認知部１７２ａは、常用側き電遮断器１５ａの開閉情報及び予備側き電遮断器１５ｂの開閉情報を取得する（ステップＳ１２）。
【００９４】
開閉情報認知部１７２ａは、取得された常用側き電遮断器１５ａの開閉情報及び予備側き電遮断器１５ｂの開閉情報に基づいて、常用側き電遮断器１５ａ及び予備側き電遮断器１５ｂの両方が「閉」状態であるか否かを判定する（ステップＳ１３）。
【００９５】
常用側き電遮断器１５ａ及び予備側き電遮断器１５ｂの両方が「閉」状態であると判定された場合（ステップＳ１３のＹＥＳ）、電流値演算部１７３ａは、電流値取得部１７１ａによって取得された常用き電線の電流値及び予備き電線の電流値を加算する（ステップＳ１４）。
【００９６】
次に、過電流検出部１７５ａは、設定値保持部１７４ａに保持されている設定値を取得する。
【００９７】
過電流検出部１７５ａは、電流値演算部１７３ａによる加算結果（以下、合成電流値と表記）と取得された設定値とを比較する（ステップＳ１５）。
【００９８】
これにより、過電流検出部１７５ａは、合成電流値が設定値以上であるか否かを判定する（ステップＳ１６）。
【００９９】
合成電流値が設定値以上であると判定された場合（ステップＳ１６のＹＥＳ）、過電流検出部１７５ａは、過電流事故を検出する（ステップＳ１７）。
【０１００】
遮断器開放指令部１７６ａは、過電流検出部１７５ａによって過電流事故が検出されると、常用側き電遮断器１５ａに対して遮断器開放指令を出力する（ステップＳ１８）。
【０１０１】
このように常用側き電遮断器１５ａに対して遮断器開放指令が出力された場合、当該常用側き電遮断器１５ａは「開」状態とされる。
【０１０２】
一方、上記したステップＳ１３において常用側き電遮断器１５ａ及び予備側き電遮断器１５ｂの両方が「閉」状態でない（つまり、常用側き電遮断器１５ａ及び予備側き電遮断器１５ｂの少なくとも一方が「開」状態である）と判定された場合、またはステップＳ１６において合成電流値が設定値以上でないと判定された場合、常用側過電流検出装置１７ａによる無停電切換中の過電流検出処理は終了される。
【０１０３】
なお、常用側き電遮断器１５ａ及び予備側き電遮断器１５ｂの一方のみが「開」状態である、つまり、常用き電線及び予備き電線の一方のみを介して電車線３０に電力が供給されている場合には、上述した常用き電線供給中または予備き電線供給中の過電流検出処理が実行されればよい。
【０１０４】
上記した無停電切換中の過電流検出処理は、常用き電線から予備き電線への無停電での切り換えが行われている間（つまり、無停電切換中に）、常用側過電流検出装置１７ａによって定期的に実行される。
【０１０５】
また、上記したステップＳ１３においては常用側き電遮断器１５ａ及び予備側き電遮断器１５ｂの両方が「閉」状態であるか否かを判定するものとして説明したが、図１に示すように予備き電線に断路器１６が設けられている場合には、常用側き電遮断器１５ａ及び断路器１６の両方が「閉」状態であるか否かが判定される構成とすることも可能である。この場合、予備側き電遮断器１５ｂの開閉情報に代えて、断路器１６の開閉情報（断路器１６が「開」状態であるか「閉」状態であるかを示す情報）が取得されればよい。
【０１０６】
次に、予備側過電流検出装置１７ｂによって実行される無停電切換中の過電流検出処理の処理手順について説明する。ここでは、便宜的に、上述した図５のフローチャートを用いて説明する。
【０１０７】
予備側過電流検出装置１７ｂに含まれる電流値取得部１７１ｂは、常用側電流検出器１４ａによって計測された常用き電線の電流値（常用き電線に流れるき電電流の電流値）及び予備側電流検出器１４ｂによって計測された予備き電線の電流値（予備き電線に流れるき電電流の電流値）を取得する（ステップＳ１１）。
【０１０８】
次に、開閉情報認知部１７２ｂは、常用側き電遮断器１５ａの開閉情報及び予備側き電遮断器１５ｂの開閉情報を取得する（ステップＳ１２）。
【０１０９】
開閉情報認知部１７２ｂは、取得された常用側き電遮断器１５ａの開閉情報及び予備側き電遮断器１５ｂの開閉情報に基づいて、常用側き電遮断器１５ａ及び予備側き電遮断器１５ｂの両方が「閉」状態であるか否かを判定する（ステップＳ１３）。なお、このステップＳ１３の処理においては、上記したように常用側き電遮断器１５ａ及び断路器１６の両方が「閉」状態であるか否かが判定される構成とすることも可能である。
【０１１０】
常用側き電遮断器１５ａ及び予備側き電遮断器１５ｂの両方が「閉」状態であると判定された場合（ステップＳ１３のＹＥＳ）、電流値演算部１７３ｂは、電流値取得部１７１ｂによって取得された常用き電線の電流値及び予備き電線の電流値を加算する（ステップＳ１４）。
【０１１１】
次に、過電流検出部１７５ｂは、設定値保持部１７４ｂに保持されている設定値を取得する。
【０１１２】
過電流検出部１７５ｂは、電流値演算部１７３ｂによる加算結果（合成電流値）と取得された設定値とを比較する（ステップＳ１５）。
【０１１３】
これにより、過電流検出部１７５ｂは、合成電流値が設定値以上であるか否かを判定する（ステップＳ１６）。
【０１１４】
合成電流値が設定値以上であると判定された場合（ステップＳ１６のＹＥＳ）、過電流検出部１７５ｂは、過電流事故を検出する（ステップＳ１７）。
【０１１５】
遮断器開放指令部１７６ｂは、過電流検出部１７５ｂによって過電流事故が検出されると、予備側き電遮断器１５ｂに対して遮断器開放指令を出力する（ステップＳ１８）。
【０１１６】
このように予備側き電遮断器１５ｂに対して遮断器開放指令が出力された場合、当該常用側き電遮断器１５ｂは「開」状態とされる。
【０１１７】
一方、上記したステップＳ１３において常用側き電遮断器１５ａ及び予備側き電遮断器１５ｂの両方が「閉」状態でない（つまり、常用側き電遮断器１５ａ及び予備側き電遮断器１５ｂの少なくとも一方が「開」状態である）と判定された場合、またはステップＳ１６において合成電流値が設定以上でないと判定された場合、予備側過電流検出装置１７ｂによる無停電切換中の過電流検出処理は終了される。
【０１１８】
なお、上記した無停電切換中の過電流検出処理は、常用き電線から予備き電線への無停電での切り換えが行われている間（つまり、無停電切換中に）、予備側過電流検出装置１７ｂによって定期的に実行される。
【０１１９】
上記したように常用側過電流検出装置１７ａ及び予備側過電流検出装置１７ｂによって無停電切換中の過電流検出処理が実行されることによって過電流事故が検出された場合、常用側き電遮断器１５ａ及び予備側き電遮断器１５ｂが「開」状態とされるため、過電流事故が除去される。
【０１２０】
ここでは、常用き電線から予備き電線への切り換えが行われる場合について説明したが、予備き電線から常用き電線への切り替えが行われる場合においても同様に、上記した無停電切換中の過電流検出処理が常用側過電流検出装置１７ａ及び予備側過電流検出装置１７ｂにおいて実行される。
【０１２１】
上記したように本実施形態においては、常用き電線の電流値及び予備き電線の電流値の加算結果（合成電流値）が予め定められている設定値以上である場合に過電流事故を検出する構成により、無停電切換中に過電流事故が発生することによって当該事故電流が常用き電線及び予備き電線に分流した場合であっても、確実に過電流事故を検出することが可能となる。
【０１２２】
また、本実施形態においては、過電流事故が検出された場合に、常用き電線に流れるき電電流を遮断するための指令及び当該予備き電線に流れるき電電流を遮断するための指令を出力する構成により、過電流事故の検出時に常用側き電遮断器１５ａ及び予備側き電遮断器１５ｂが「開」状態とされるため、当該過電流事故を除去することが可能となる。
【０１２３】
なお、本実施形態においては、常用き電線に常用側過電流検出装置１７ａが設けられ、予備き電線に予備側過電流検出装置１７ｂが設けられているものとして説明したが、当該常用側過電流検出装置１７ａ及び予備側が過電流検出装置１７ｂを１つの過電流検出装置としても構わない。この場合、１つの過電流検出装置から常用側き電遮断器１５ａ及び予備側き電遮断器１５ｂに遮断器開放指令が出力されればよい。
【０１２４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１２５】
１０…変電所、１１…交流遮断器、１２…整流器、１３…断路器、１４ａ，１４ｂ…電流検出器、１５ａ，１５ｂ…き電遮断器、１６…断路器、１７ａ，１７ｂ…過電流検出装置、２０…交流電源、３０…電車線、４０…レール、１７１ａ，１７１ｂ…電流値取得部、１７２ａ，１７２ｂ…開閉情報認知部、１７３ａ，１７３ｂ…電流値演算部、１７４ａ，１７４ｂ…設定値保持部、１７５ａ，１７５ｂ…過電流検出部、１７６ａ，１７６ｂ…遮断器開放指令部。
【図１】
2014079143.tif 000003
【図２】
2014079143.tif 000004
【図３】
2014079143.tif 000005
【図４】
2014079143.tif 000006
【図５】
2014079143.tif 000007